(57)【要約】【課題】開閉動作時の衝撃から磁気ディスク装置が保護される携帯情報端末を提供する。【解決手段】開閉状態検知部によって、携帯情報端末が開状態、閉状態、および中間状態のいずれであるかを検知し、その検知結果に基づき、磁気ディスクの動作を制御する。蓋部を携帯情報端末本体に対して開閉することで衝撃が発生する。この衝撃は蓋部が中間状態から開状態または閉状態に移行するときに発生することから、開閉状態検知部で蓋部の開閉状態を検知し、これに対応して磁気ディスクを制御することで磁気ディスクを衝撃から保護することができる。【選択図】図２
2005242716.tif 000002
【特許請求の範囲】
【請求項１】
携帯情報端末本体と、
前記携帯情報端末本体に対して開閉可能な蓋部と、
前記携帯情報端末本体または前記蓋部のいずれかに設置された磁気ディスクと、
前記携帯情報端末本体に対して前記蓋部が開状態、閉状態、および中間状態のいずれであるかを検知する開閉状態検知部と、
前記開閉状態検知部での検知結果に基づき、前記磁気ディスクの動作を制御する制御部と、
を具備することを特徴とする携帯情報端末。
【請求項２】
前記開閉状態検知部が、前記携帯情報端末本体に対して前記蓋部が開状態か否かを検知する第１の検知部と、前記携帯情報端末本体に対して前記蓋部が閉状態か否かを検知する第２の検知部とを有する
ことを特徴とする請求項１記載の携帯情報端末。
【請求項３】
前記制御部が、前記開閉状態検知部で前記蓋部が開状態または閉状態と検知されたときに前記磁気ディスクからの情報の読み出し、書き込みを許可し、前記開閉状態検知部で前記蓋部が中間状態と検知されたときに前記磁気ディスクからの情報の読み出し、書き込みを禁止する
ことを特徴とする請求項１記載の携帯情報端末。
【請求項４】
前記携帯情報端末がメモリを備え、
前記制御部が、前記開閉状態検知部で前記蓋部が中間状態であることが検知されたときに前記磁気ディスクに換えて、前記メモリへの情報の読み出し、書き込みを行うように制御する
ことを特徴とする請求項１記載の携帯情報端末。
【請求項５】
前記制御部が、前記開閉状態検知部で前記蓋部が中間状態から開状態または閉状態に移行したことが検知されたときに、前記メモリの情報を前記磁気ディスクへの情報の書き込みを行うように制御する
ことを特徴とする請求項１記載の携帯情報端末。
【発明の詳細な説明】
【技術分野】
【０００１】
本発明は、磁気ディスクドライブを有する携帯情報端末に関する。
【背景技術】
【０００２】
携帯電話に電話以外の機能、例えば、映像、音声の視聴を可能とすることが考えられる。映像、音声の視聴を可能とするには、携帯電話に大容量の記憶装置を備えることが必要になるため、携帯電話に磁気ディスク装置を搭載することが考えられる。
ところで磁気ディスク装置は、高速で回転する磁気ディスクに近接して磁気ヘッドを配置することで磁気ディスクからの情報の読み書きを行う。このため、磁気ディスクに磁気ヘッドが接触すると、磁気ディスク、磁気ヘッドのいずれかが損傷し、磁気ディスク装置が破壊される可能性がある。
なお、磁気ディスク装置内蔵携帯型機器に保持検知機構を設け、この保持検知機構が手によって保持されていないことを検知したときに磁気ヘッドを退避させる技術が公開されている（特許文献１参照）。手から落下すること等による衝撃から、磁気ディスク装置が保護される。
【特許文献１】特開２００２−２５１８５７号公報
【発明の開示】
【発明が解決しようとする課題】
【０００３】
しかしながら、この手法では折り畳み式の携帯電話等での開閉時の衝撃に対応することができない。
上記に鑑み、本発明は開閉動作時の衝撃から磁気ディスク装置が保護される携帯情報端末を提供することを目的とする。
【課題を解決するための手段】
【０００４】
上記目的を達成するために、本発明に係る携帯情報端末は、携帯情報端末本体と、前記携帯情報端末本体に対して開閉可能な蓋部と、前記携帯情報端末本体または前記蓋部のいずれかに設置された磁気ディスクと、前記携帯情報端末本体に対して前記蓋部が開状態、閉状態、および中間状態のいずれであるかを検知する開閉状態検知部と、前記開閉状態検知部での検知結果に基づき、前記磁気ディスクの動作を制御する制御部と、を具備することを特徴とする。
【０００５】
開閉状態検知部によって、蓋部が開状態、閉状態、および中間状態のいずれであるかが検知され、その検知結果に基づき、磁気ディスクの動作が制御される。蓋部を携帯情報端末本体に対して開閉することで衝撃が発生する。この衝撃は蓋部が中間状態から開状態または閉状態に移行するときに発生することから、開閉状態検知部で蓋部の開閉状態を検知し、これに対応して磁気ディスクを制御することで磁気ディスクを衝撃から保護することができる。
【０００６】
（１）ここで、前記開閉状態検知部が、前記携帯情報端末本体に対して前記蓋部が開状態か否かを検知する第１の検知部と、前記携帯情報端末本体に対して前記蓋部が閉状態か否かを検知する第２の検知部とを有してもよい。
開状態、閉状態、および中間状態の検知を第１、第２の検知部それぞれで開状態、閉状態か否かを検知することで行える。
【０００７】
（２）前記制御部が、前記開閉状態検知部で前記蓋部が開状態または閉状態と検知されたときに前記磁気ディスクからの情報の読み出し、書き込みを許可し、前記開閉状態検知部で前記蓋部が中間状態と検知されたときに前記磁気ディスクからの情報の読み出し、書き込みを禁止してもよい。
開状態、閉状態の一方から他方へ移行する途中で中間状態が現れるのが通例である。このため、中間状態であることが検出されたときに磁気ディスクからの情報の読み出し、書き込みを禁止することで、状態の移行時における衝撃から磁気ディスクを保護することができる。この移行が終了したときに開状態、閉状態が検出され、磁気ディスクからの情報の読み出し、書き込みが許可される。
【０００８】
（３）前記携帯情報端末がメモリを備え、前記制御部が、前記開閉状態検知部で前記蓋部が中間状態であることが検知されたときに前記磁気ディスクに換えて、前記メモリへの情報の読み出し、書き込みを行うように制御してもよい。
磁気ディスクに換えてメモリを用いることで、磁気ディスクへのアクセスが禁止された状態においても、処理を継続することが容易となる。
【０００９】
ここで、前記制御部が、前記開閉状態検知部で前記蓋部が中間状態から開状態または閉状態に移行したことが検知されたときに、前記メモリの情報を前記磁気ディスクへの情報の書き込みを行うように制御してもよい。
中間状態から開状態または閉状態に移行したときに、磁気ディスクに換えて用いられていたメモリの情報を磁気ディスクに書き込むことで、磁気ディスクによる処理状態に復帰させることができる。
【発明の効果】
【００１０】
以上説明したように、本発明によれば開閉動作時の衝撃から磁気ディスク装置が保護される携帯情報端末を提供できる。
【発明を実施するための最良の形態】
【００１１】
以下、図面を参照して、本発明の実施の形態を詳細に説明する。
（第１の実施の形態）
図１（Ａ）、（Ｂ）、（Ｃ）は本発明の第１実施形態に係る携帯情報端末１０を表す斜視図であり、それぞれ開状態、中間状態、閉状態を表す。また、図２は、携帯情報端末１０の内部構成を表すブロック図である。
携帯情報端末１０は、例えば、携帯電話であり、図１では折り畳み式の携帯電話を示している。
携帯情報端末１０は、携帯情報端末本体１１と蓋部１２に区分される。なお、これらはそれぞれキーボード配置ブロック筐体、表示ブロック筐体といっても差し支えない。
これら携帯情報端末本体１１と蓋部１２は、ヒンジ部１３によって互いに回転可能に接続される。この結果、携帯情報端末１０は、蓋部１２を開いた状態（開状態：図１（Ａ））、蓋部１２を閉じた状態（閉状態：図１（Ｃ））、これらの中間的な状態（中間状態：図１（Ｂ））の３つの状態をとる。開状態、閉状態はヒンジ部１３に備えられたラチェット機構（図示せず）によってそのまま保持される。
【００１２】
図１，２に示すように、携帯情報端末１０は、電話・メール機能部２１，映像・音声再生部２２，表示部２３，キーボード２４、音声入力部２５，音声出力部２６、ハードディスクドライブ制御部（ＨＤＤ制御部）３１，ハードディスクドライブ（ＨＤＤ）３２、バッファメモリ３３，保持メモリ３４，開閉状態対応部４１，開状態検知スイッチ４２，閉状態検知スイッチ４３を有する。
【００１３】
電話・メール機能部２１は、携帯情報端末１０と他の電話機との間での通話、メールのやり取りを可能とするものであり、図示しないアンテナを備える。
映像・音声再生部２２は、ハードディスクドライブ３２に蓄積された映像、音声のコンテンツを表示部２３，音声出力部２６で視聴することを可能とする。
【００１４】
表示部２３は、液晶表示装置等の表示手段である。
キーボード２４はテンキー等の情報入力手段である。
音声入力部２５は、マイクロホン等の音声入力装置である。
音声出力部２６は、スピーカ等の音声出力装置である。なお、これに加えて音声信号を出力する外部出力端子（イヤホンジャックや外部スピーカ端子）を備えていてもよい。ユーザが音声出力先をスピーカ、イヤホン、外部スピーカ等適宜に選択できる。
【００１５】
ハードディスクドライブ制御部（ＨＤＤ制御部）３１は、ハードディスクドライブ３２からの情報の読み出し、書き込みを制御する。
ハードディスクドライブ（ＨＤＤ）３２は、種々のコンテンツ（映像、音声（音楽、映画等）、プログラム（ゲーム等）を記憶するための磁気ディスク装置である。ハードディスクドライブ３２は、磁気ディスクおよび磁気ヘッドを備え、磁気ヘッドによって磁気ディスク上から情報の読み出し、書き込みを行う。
【００１６】
バッファメモリ３３は、ハードディスクドライブ３２との間でデータをやり取りするためのメモリである。
保持メモリ３４は、電話・メール機能部２１，映像・音声再生部２２等で必要な情報を保持するためのメモリである。
開閉状態対応部４１は、蓋部１２の開閉状態に応じて、ハードディスクドライブ制御部３１を介してハードディスクドライブ３２の保護のための処理（退避制御等）を行う。
開状態検知スイッチ４２は、蓋部１２が開状態であるか否かを検出するスイッチである。
閉状態検知スイッチ４３は、蓋部１２が閉状態であるか否かを検出するスイッチである。
【００１７】
携帯情報端末１０では、電話・メール機能部２１による電話、メールに加えて、映像・音声再生部２２による映像、音声（例えば、音楽、映画）の視聴が可能となっている。
電話、メールを利用したり、映像を視聴するときには携帯情報端末１０が開状態にされる。また、携帯情報端末１０が使われないときには、携帯情報端末１０は閉状態にされる。一方、音声（例えば、音楽）の視聴は、開状態、閉状態のいずれでも可能である。
【００１８】
このように携帯情報端末１０はその使用状態に応じて、開閉して使用される。ユーザが蓋部１２の開閉動作を行うことで、携帯情報端末１０は開状態から閉状態へまたその逆へと開閉状態が移行する。蓋部１２の開閉時にハードディスクドライブ３２に衝撃が印加される。特に、開閉状態が移行して安定する際に、ハードディスクドライブ３２に加わる衝撃が大きい。
【００１９】
開状態検知スイッチ４２は、携帯情報端末本体１１側、蓋部１２側それぞれに配置された１対の構成要素（例えば、接点）からなる。開状態検知スイッチ４２は、これら１対の構成要素同士の接触を前提とする接触式スイッチ（例えば、接点スイッチ）、構成要素同士の接触を前提としない非接触スイッチ（例えば、マグネットスイッチ）のいずれでも構成可能である。
【００２０】
携帯情報端末１０が開状態のときには開状態検知スイッチ４２の構成要素が接触または近接し（開状態の検知）、携帯情報端末１０が開状態でないときには構成要素同士が離間する（開状態の非検知）。
なお、開状態検知スイッチ４２は開状態の検知が可能であれば接点のＯＮ、ＯＦＦはいずれであっても差し支えない。すなわち、開状態検知スイッチ４２の状態に対応して、開状態の検知が行えれば足りる。
【００２１】
閉状態検知スイッチ４３も、携帯情報端末本体１１側、蓋部１２側それぞれに配置された１対の構成要素からなる。閉状態検知スイッチ４３は、これら１対の構成要素同士の接触を前提とする接触式スイッチ（例えば、接点スイッチ）、構成要素同士の接触を前提としない非接触スイッチ（例えば、マグネットスイッチ）のいずれでも構成可能である。
携帯情報端末１０が閉状態のときには閉状態検知スイッチ４３の構成要素が接触または近接し（閉状態の検知）、携帯情報端末１０が閉状態でないときには構成要素同士が離間する（閉状態の非検知）。
【００２２】
開状態検知スイッチ４２、および閉状態検知スイッチ４３は、組み合わされることで、携帯情報端末１０が開状態、閉状態、中間状態のいずれであるかを検出することができる。なお、開状態検知スイッチ４２、閉状態検知スイッチ４３はそれぞれ、開状態の検知が可能であれば接点のＯＮ、ＯＦＦはいずれであっても差し支えない。すなわち、開状態検知スイッチ４２および閉状態検知スイッチ４３の状態に対応して、開状態、閉状態の検知が行えれば足りる。
【００２３】
図３は、携帯情報端末１０の開閉状態と、開状態検知スイッチ４２、および閉状態検知スイッチ４３での検知状態との対応関係を表す図である。
開状態検知スイッチ４２で開状態が検知されたとき、携帯情報端末１０は開状態であり、このとき閉状態検知スイッチ４３で閉状態は検知されない。この場合にはハードディスクドライブ３２へのアクセス（情報の読み出し、書き込み）は許可される。
閉状態検知スイッチ４３で閉状態が検知されたとき、携帯情報端末１０は閉状態であり、このとき開状態検知スイッチ４２で開状態は検知されない。この場合にもハードディスクドライブ３２へのアクセス（情報の読み出し、書き込み）は許可される。
開状態検知スイッチ４２、閉状態検知スイッチ４３がいずれも非検知状態のとき携帯情報端末１０は中間状態である。この場合、ハードディスクドライブ３２へのアクセス（情報の読み出し、書き込み）が禁止される。
【００２４】
（携帯情報端末１０の動作）
図４は、携帯情報端末１０の動作手順の一例を表すフロー図である。
（１）携帯情報端末１０の開閉が行われることから、中間状態が検出される（ステップＳ１１）。
中間状態の検出は、開状態検知スイッチ４２、閉状態検知スイッチ４３で開状態、閉状態のいずれもが検出されないことによって行われる。
例えば、携帯情報端末１０を閉状態から開状態として、携帯情報端末１０の使用を開始することが考えられる。具体的には、電話による通話、メールの送受信、映像、音声の視聴が挙げられる。
また、携帯情報端末１０を開状態から閉状態として、携帯情報端末１０の使用を停止することが考えられる。携帯情報端末１０が開状態から閉状態への移行は、音声（例えば、音楽）の視聴を行う場合にも行われうる。携帯情報端末１０が開状態、閉状態いずれであっても音声の視聴は可能だからである。
【００２５】
（２）中間状態の検出に対応して、開閉状態対応部４１よりハードディスクドライブ制御部３１にハードディスクドライブ３２のアクセス停止命令が発せられる（ステップＳ１２）。
開閉による衝撃からハードディスクドライブ３２を保護するためである。
ハードディスクドライブ３２からデータを読み出し中の場合には、そのときのデータがバッファメモリ３３または開閉状態対応部４１の制御下の保持メモリ３４に記憶される。また、ハードディスクドライブ３２の磁気ヘッドが磁気ディスク（メディア）上に存在している場合には、磁気ヘッドが退避される（ステップＳ１３，Ｓ１４）。
【００２６】
（３）その後、ハードディスクドライブ３２へのアクセスが禁止された状態が継続する（ステップＳ１５）。
以上のアクセス停止は主として磁気ディスク（メディア）の上に磁気ヘッドが存在することを避けるためのものである。従い、この状態が保持されるのであれば、ハードディスクドライブ３２の磁気ディスクの回転等は許容される。このようなアクセス停止（禁止）のレベルは開閉状態対応部４１での設定条件として、メモリ、レジスタ等の記憶手段に記憶させておくことができる。
ここで、ハードディスクドライブ３２に換えてバッファメモリ３３または保持メモリ３４からの情報の読み出し、書き込みが可能である。このため、ハードディスクドライブ３２からの新たなデータの読み出しを必要としない範囲で、作業の継続が可能である。例えば、バッファメモリ３３に蓄積されたデータを用いて音楽の再生が続行できる。
【００２７】
ハードディスクドライブ３２へのアクセス停止（禁止）により、磁気ディスク（メディア）の上に磁気ヘッドが存在しないことが保証されることから、ハードディスクドライブ３２が携帯情報端末１０の開閉時の衝撃から保護される。磁気ヘッドの退避動作は数１０ｍ秒間で実施されるので、操作者は特に意識せずに、携帯情報端末１０の開閉を行える。
【００２８】
（４）携帯情報端末１０の開閉動作が完了することで、中間状態が開状態または閉状態に移行し、これが検出される（ステップＳ１６）。
開状態および閉状態はそれぞれ、開状態検知スイッチ４２および閉状態検知スイッチ４３によって行われる。
この開状態または閉状態は、ヒンジ部１３のラチェット機構により保持される。
【００２９】
（５）開状態または閉状態の検出に対応して、開閉状態対応部４１よりハードディスクドライブ制御部３１にハードディスクドライブ３２のアクセス再開命令が発せられる（ステップＳ１７）。なお、この検出とこの命令との間に多少の時間差を設けることも考えられる。状態が移行してから衝撃が治まるまでに、多少のタイムラグがあるのが通例だからである。
【００３０】
必要に応じて、ハードディスクドライブ３２の磁気ヘッドが磁気ディスク（メディア）の上に再配置される。また、バッファメモリ３３または保持メモリ３４に記憶されたデータが、ハードディスクドライブ３２に移行される（ステップＳ１８）。この結果、ハードディスクドライブ３２を用いた処理が続行可能となる。
その後、ハードディスクドライブ３２へのアクセスが可能な状態が継続される。（ステップＳ１９）。
【００３１】
以上のように、携帯情報端末１０の開閉による衝撃力がハードディスクドライブ３２へ加わる前に磁気ヘッドを退避させることができる。
携帯情報端末１０の利用者は電話、メール等の機能使用要求に応じて、携帯情報端末１０を開閉する。この際、ハードディスクドライブ３２が作動中であった場合、この開閉に伴う振動衝撃力がハードディスクドライブ３２へ印加されることになる。
開状態検知スイッチ４２、閉状態検知スイッチ４３で中間状態を検知することで、開閉動作による衝撃の発生を事前に察知し、ハードディスクドライブ３２に直接あるいは間接的に通知する。この結果、磁気ヘッドと磁気ディスクのクラッシュを未然に防止させ、ハードディスクドライブ３２、ひいては携帯情報端末１０の信頼性を向上することができる。
【００３２】
（第２の実施の形態）
本発明の第２の実施形態に係る携帯情報端末１０aを説明する。
図５は携帯情報端末１０aを表す斜視図であり、中間状態態を表す。また、図６（Ａ），（Ｂ）は、携帯情報端末１０aのヒンジ部１３ａ付近を拡大した側面図であり、それぞれ、開状態、閉状態を表す。
【００３３】
携帯情報端末１０aでは、開状態検知スイッチ４２ａ、閉状態検知スイッチ４３ａがヒンジ部（蝶番）１３ａのラチェット機構に設置される２組の接点（スイッチ）から構成される。即ち、ヒンジ部１３ａが、携帯情報端末本体１１ａ側の部材１３１と、蓋部１２ａ側の部材１３２からなり、部材１３１，１３２それぞれに接点４２１，４３１，接点４２２，４３２が配置される。
携帯情報端末１０aの開状態では、接点４２１，４２２が接触することで、開状態が検知される。携帯情報端末１０aの閉状態では、接点４３１，４３２が接触することで、閉状態が検知される。
なお、開状態検知スイッチ４２ａ、閉状態検知スイッチ４３ａに換えて、３つの接点で構成される３接点式のスイッチを用いることも可能である。
【００３４】
（第３の実施の形態）
本発明の第３の実施形態に係る携帯情報端末１０ｂを説明する。
図７は携帯情報端末１０ｂを表す斜視図であり、開状態態を表す。携帯情報端末１０ｂでは、携帯情報端末本体１１ｂに対して蓋部１２ｂが回転機構１４によって回転する回転式の携帯電話である。
【００３５】
図８は回転機構１４を拡大した状態を表す拡大図である。
携帯情報端末１０ｂでは、開状態検知スイッチ４２ｂ、閉状態検知スイッチ４３ｂが回転機構１４に設置される２組の接点（スイッチ）から構成される。即ち、回転機構１４が、携帯情報端末本体１１ｂ側の部材１４１と、蓋部１２ｂ側の部材１４２からなり、部材１４１，１４２それぞれに接点４２１，４３１，接点４２２，４３２が配置される。
携帯情報端末１０ｂの開状態では、接点４２１，４２２が接触することで、開状態が検知される。携帯情報端末１０ｂの閉状態では、接点４３１，４３２が接触することで、閉状態が検知される。
【００３６】
このような、２つのスイッチ（４つの接点）に換えて、３接点式のスイッチを配置することで、携帯情報端末１０ｂの開状態、閉状態、中間状態を検知し、内蔵されたハードディスクを衝撃から保護することができる。
これらのスイッチは、機械的、磁気的、電気的いずれであっても差し支えないのはいうまでもない。
【００３７】
（第４の実施の形態）
本発明の第４の実施形態に係る携帯情報端末１０ｃを説明する。
図９は携帯情報端末１０ｃを表す斜視図であり、開状態態を表す。携帯情報端末１０ｃでは、携帯情報端末本体１１ｃに対して蓋部１２ｃがスライドするスライド式の携帯電話である。
【００３８】
ここでは接点４４１，４４２，４４３の３つの接点を用いた３接点式のスイッチ４４を用いて、携帯情報端末１０ｃの開状態、閉状態、中間状態を検知し、内蔵されたハードディスクを衝撃から保護することができる。
接点４４１，４４２が携帯情報端末本体１１ｃ側に、接点４４３が蓋部１２ｃ側に配置されている。携帯情報端末１０ｃの開状態では接点４４２，４４３が接触し、携帯情報端末１０ｃの閉状態では接点４４１，４４２が接触して開閉状態の検出が可能である。中間状態では接点４４１，４４２，４４３間での接触は行われない。
このスイッチに換えて、２つのスイッチ（４接点）を用いても差し支えなく、またスイッチが機械的、磁気的、電気的いずれであっても差し支えないのはいうまでもない。
【００３９】
（その他の実施形態）
本発明の実施形態は上記の実施形態に限られず拡張、変更可能であり、拡張、変更した実施形態も本発明の技術的範囲に含まれる。
【図面の簡単な説明】
【００４０】
【図１】本発明の第１実施形態に係る携帯情報端末を表す斜視図である。
【図２】本発明の第１実施形態に係る携帯情報端末携帯情報端末の内部構成を表すブロック図である。
【図３】本発明の第１実施形態に係る携帯情報端末の開閉状態と、開状態検知スイッチ、および閉状態検知スイッチでの検知状態との対応関係を表す図である。
【図４】本発明の第１実施形態に係る携帯情報端末の動作手順の一例を表すフロー図である。
【図５】本発明の第２実施形態に係る携帯情報端末を表す斜視図である。
【図６】本発明の第２実施形態に係る携帯情報端末のヒンジ部付近を拡大して表す側面図である。
【図７】本発明の第３実施形態に係る携帯情報端末を表す斜視図である。
【図８】回転機構を拡大した状態を表す拡大図である。
【図９】本発明の第４実施形態に係る携帯情報端末を表す斜視図である。
【符号の説明】
【００４１】
１０…携帯情報端末、１１…携帯情報端末本体、１２…蓋部、１３…ヒンジ部、２１…電話・メール機能部、２２…映像・音声再生部、２３…表示部、２４…キーボード、２５…音声入力部、２６…音声出力部、３１…ハードディスクドライブ制御部、３２…ハードディスクドライブ、３３…バッファメモリ、３４…保持メモリ、４１…開閉状態対応部、４２…開状態検知スイッチ、４３…閉状態検知スイッチ
【図１】
2005242716.tif 000003
【図２】
2005242716.tif 000004
【図３】
2005242716.tif 000005
【図４】
2005242716.tif 000006
【図５】
2005242716.tif 000007
【図６】
2005242716.tif 000008
【図７】
2005242716.tif 000009
【図８】
2005242716.tif 000010
【図９】
2005242716.tif 000011